(57)【特許請求の範囲】
【請求項１】
線材を張設して鳥害を防止するための線材張設具であって、建造物の鉄骨、板状コンクリート突出部等に嵌装しボルトにより締め付け固定出来る様にするためのコの字形状をなし且つ両側の突出部位の外面側に貫通穴と一体化するナット状部位が付設されたコの字形状部材と、前記ナット状部位に締め込み可能な固定用ボルト及び線材張設対応ボルトと、線材張設対応ボルトの任意な位置に装着可能で線材張設対応ボルトが嵌通出来る嵌通穴および側部に線材が貫通出来て線材張設時に線材が損傷し難い形状をなす貫通穴を有する線材張設用部材と、且つ、前記コの字形状部材の取付時に上方側となる突出部位の下部に嵌合させて着設し線材張設対応ボルトの取付数を増加出来る様にするために用いる部材であり基板部に線材張設対応ボルトが留め付けられるナット状部位が付設されると共に両側の縁部に立ち上がり部位を有する溝形増設用部材とからなることを特徴とする鳥害防止用線材張設具。
【請求項２】
線材を張設して鳥害を防止する装置であって、請求項１に記載の鳥害防止用線材張設具と、鳥害防止用線材および該線材の張設後の張力保持のためのバネ材とからなり、鳥害防止用線材張設具を適宜な間隔で建造物の鉄骨、板状コンクリート突出部等に嵌装させて固定用ボルトを用いて固設し、前記線材張設用部材に付設された貫通穴を利用し鳥害防止用線材を張設して鳥の飛来を忌避し鳥害を防止出来る様にしたことを特徴とする鳥害防止装置。
【請求項３】
前記鳥害防止装置において前記鳥害防止用線材張設具を利用し電線を配線すると共に瞬時に点滅可能な発光器を設置して、発光による鳥の忌避効果も付加して鳥の飛来を忌避し鳥害を防止出来る様にしたことを特徴とする請求項２に記載の鳥害防止装置。
【請求項４】
線材を張設して鳥害を防止する方法であって、請求項１に記載の鳥害防止用線材張設具と、鳥害防止用線材および該線材の張設後の張力保持のためのバネ材とを用いて、前記線材取付用ナットを装着させた線材張設対応ボルトを取り付けた鳥害防止用線材張設具を適宜な間隔で建造物の鉄骨、板状コンクリート突出部等に嵌装させて固定用ボルトを用いて固設し、鳥害防止用線材の少なくとも一端側にバネ材を連結し前記線材張設用部材に付設された貫通穴を利用し適度な張力を保持させた状態で張設して鳥の飛来を忌避し鳥害を防止出来る様にしたことを特徴とする鳥害防止方法。
【請求項５】
前記鳥害防止方法において前記鳥害防止用線材張設具を利用し電線を配線すると共に瞬時に点滅可能な発光器を設置して、発光による鳥の忌避効果も付加して鳥の飛来を忌避し鳥害を防止出来る様にしたことを特徴とする請求項４に記載の鳥害防止方法。
【発明の詳細な説明】
【技術分野】
【０００１】  本発明は、建造物における鳥の止まり木行動や巣作りや糞などによる汚損被害を防ぐための鳥害防止用用具および装置並びに方法に関し、詳しくは、建造物の鉄骨、板状コンクリート突出部等において線材を張設して鳥類の飛来休止または営巣行動を阻止して汚損被害を防ぐための鳥害防止用線材張設具および鳥害防止装置並びに鳥害防止方法に関するものである。
【背景技術】
【０００２】  従来から、建造物においては、例えば水平鉄骨材の凹部やフランジ部上部やベランダやパラペットの上部等に鳩、雀、椋鳥などの鳥類が飛来して休止または営巣行動をなし建造物の汚損被害だけでなく下部を通過する人や車両の汚損、臭気、ばい菌等による被害も惹起しその被害が看過できなくなり一刻も早くその解決策が求められている。このため、鳥害防止対策として種々の方法が既に提案されている。例えば、特許文献１、特許文献２等で提案の線材を所定間隔をあけて複数設置したり、ネットを張設したりして鳥類の飛来を防止する方法や、特許文献３等で提案の鉄骨水平材の上面部等に針状突起を用いた部材を付設したり、特許文献４等で提案の線状部材等による螺旋状の弾性忌避具を付設したりして止まり木行動を阻害する方法などが提案されている。【０００３】  しかし、鳥害防止対策としては、建造物の鳥害忌避場所は鉄骨部やコンクリート部もあり、形状、寸法等の様々な制約条件に対応しなければならず、出来るだけ広範な条件対応性が求められると共に、より簡便で施工が容易であり鳥害防止効果が高いものが求められる。このため、線材を所定間隔をあけて複数設置する方法では、特許文献１の例ではベランダのコンクリート部だけに対応し鉄骨部には対応不可と共にコンクリート部を損傷させるし、特許文献２の例では鳥害防止対象がリップみぞ形鋼の凹部への対応のみであり他のＨ形鋼部等には対応不可である。また、ネットを張設する方法の場合は広範囲を一括して覆う様にしなくてはならず大掛かりになると共に一部にでも鳥類の侵入箇所が有ると営巣や糞等による被害がより深刻になる恐れがあり美観上も好ましくない。そして、鉄骨水平材の上面部等に針状突起部材を用いた特許文献３の例や線状部材等による螺旋状の弾性忌避具を付設した特許文献４の例の様な方法で止まり木行動を阻害する方法の場合では対応可能な場所が限定されると共に塵埃が溜まりやすく掃除は容易でなく塵埃等の塊の落下や再飛散等による二次被害を惹起する恐れがある。この様に現状においては、出来るだけ広範な条件対応性が求められる建造物の鳥害防止対策として充分答えられるだけの提案が出現していないのが実状である。【０００４】  このため、形状、寸法等の様々な制約条件に対応しなければならい建造物の鳥害防止対策として、出来るだけ広範な条件対応性があり、鳥害防止効果が高く、塵埃等の塊の落下や再飛散等による二次被害の恐れも少なく、施工が容易で、美観上も問題の少ない鳥害防止対策の提案が望まれている。【特許文献１】特開平１１−２５３０９０号公報
【特許文献２】特開２００４−３５７５１１号公報
【特許文献３】特開平７−２９８８２３号公報
【特許文献４】特開２００４−８１０２１号公報
【発明の開示】
【発明が解決しようとする課題】
【０００５】  本発明が解決しようとする課題は、前述の従来技術の問題点を鑑みて、従来のネットを張設して対応する方法や、鉄骨水平材の上面部等に針状突起を用いた部材や線材等による螺旋状の弾性忌避具を付設する方法等では、費用対効果を勘案すると、様々な寸法形状の鉄骨の組み合わせの鉄骨建造物における鳥類の飛来休止または営巣行動等による鳥害に対しては期待に応えられるだけの防止対策とはなり得ないと考え、線状部材を張設する方法で鳥害防止を図るべく、その際に課題となる様々な寸法形状等の条件には広範に対応出来ず、また、出来たとしても限定されるとともに個別対応しなければならず手間がかかるという課題である。すなわち、形状、寸法等の様々な制約条件に対応しなければならい鉄骨造の建築物および構造物のＨ形鋼部材等のフランジ部等やコンクリート造の庇部等における鳥害防止対策として、広範な条件対応性があり、鳥害防止効果が高く、塵埃等の塊の落下や再飛散等による二次被害の恐れも少なく、施工が容易な鳥害防止装置および鳥害防止方法を提供することを目的とする。
【課題を解決するための手段】
【０００６】  前述の課題を解決して、その目的を達成する手段として、本発明の鳥害防止用線材張設具は、線材を張設して鳥害を防止するための線材張設具であって、建造物の鉄骨、板状コンクリート突出部等に嵌装しボルトにより締め付け固定出来る様にするためのコの字形状をなし且つ両側の突出部位の外面側に貫通穴と一体化するナット状部位が付設されたコの字形状部材と、前記ナット状部位に締め込み可能な固定用ボルト及び線材張設対応ボルトと、線材張設対応ボルトの任意な位置に装着可能で線材張設対応ボルトが嵌通出来る嵌通穴および側部に線材が貫通出来て線材張設時に線材が損傷し難い形状をなす貫通穴を有する線材張設用部材と、且つ、前記コの字形状部材の取付時に上方側となる突出部位の下部に嵌合させて着設し線材張設対応ボルトの取付数を増加出来る様にするために用いる部材であり基板部に線材張設対応ボルトが留め付けられるナット状部位が付設されると共に両側の縁部に立ち上がり部位を有する溝形増設用部材とからなることを特徴とする。【０００７】  そして、本発明の鳥害防止装置は、線材を張設して鳥害を防止する装置であって、請求項１に記載の鳥害防止用線材張設具と、鳥害防止用線材および該線材の張設後の張力保持のためのバネ材とからなり、鳥害防止用線材張設具を適宜な間隔で建造物の鉄骨、板状コンクリート突出部等に嵌装させて固定用ボルトを用いて固設し、前記線材張設用部材に付設された貫通穴を利用し鳥害防止用線材を張設して鳥の飛来を忌避し鳥害を防止出来る様にしたことを特徴とする。【０００８】  付加して、前記鳥害防止装置において前記鳥害防止用線材張設具を利用し電線を配線すると共に瞬時に点滅可能な発光器を設置して、発光による鳥の忌避効果も付加して鳥の飛来を忌避し鳥害を防止出来る様にしたことを特徴とする。【０００９】  そして、本発明の鳥害防止方法は、線材を張設して鳥害を防止する方法であって、請求項１に記載の鳥害防止用線材張設具と、鳥害防止用線材および該線材の張設後の張力保持のためのバネ材とを用いて、前記線材取付用ナットを装着させた線材張設対応ボルトを取り付けた鳥害防止用線材張設具を適宜な間隔で建造物の鉄骨、板状コンクリート突出部等に嵌装させて固定用ボルトを用いて固設し、鳥害防止用線材の少なくとも一端側にバネ材を連結し前記線材張設用部材に付設された貫通穴を利用し適度な張力を保持させた状態で張設して鳥の飛来を忌避し鳥害を防止出来る様にしたことを特徴とする。【００１０】  付加して、前記鳥害防止方法において前記鳥害防止用線材張設具を利用し電線を配線すると共に瞬時に点滅可能な発光器を設置して、発光による鳥の忌避効果も付加して鳥の飛来を忌避し鳥害を防止出来る様にしたことを特徴とする。
【発明の効果】
【００１１】  本発明によれば、鉄骨造の建築物および構造物のＨ形鋼部材等のフランジ部等やコンクリート造の庇部等における鳥害防止対策として、容易に設置対応出来るとともに、一定でない突出寸法の庇等の上部等の鳥害防止用線材の張設範囲の自由度が大きく、鳥害防止効果が高く、塵埃等の塊の落下や再飛散等による二次被害の恐れも少なく、施工が容易で美観上も問題の少ない鳥害防止対策が提供出来る様になり、現状の深刻化する鳥害の改善に貢献することが出来る。
【発明を実施するための最良の形態】
【００１２】  本発明を実施するための最良の形態としては、鳥類の飛来場所において、飛来休止、営巣等による鳥害を防止するために、前述の鳥害防止用線材張設具と鳥害防止用線材および該線材の張設後の張力保持のためのバネ材とを用いて、コの字形状部材を板状ゴム質部材を介在させてＨ形鋼フランジ部または板状コンクリート部等に嵌装させて固定用ボルトを用いて固設し、鳥害防止用線材を鳥類の侵入を防止出来る間隔と張力を保持出来る様に鳥害防止用線材を張設し、更に、前述の鳥害防止用線材張設具を利用し電線を配線すると共に瞬時に点滅可能な発光器を設置して発光による鳥の忌避効果も付加して鳥の飛来を忌避し鳥害を防止出来る様にした形態であり、以下に具体例として示す特徴が勘案された形態のものである。尚、鳥害防止装置と鳥害防止方法の実施形態は同一となるので鳥害防止用線材張設具および鳥害防止装置を主体として説明する。【００１３】  鳥害防止用線材張設具に関し、コの字形状部材としては、材質は防錆処理をなされた鋼製材やステンレス材が好適であるが、アルミ、高強度高耐久性を有するエンジニアリングプラスチック等でも本発明の目的を達成出来る強度と耐久性を確保出来る様にすれば用いることが出来る。また、形状寸法としては、コの字の突出部間寸法は約２０〜２００ｍｍとし、設置対象の鉄骨フランジ、コンクリート板厚を勘案すれば約２５〜６０ｍｍ、１３０〜１８０ｍｍで設定されるのが好適である。そして、部材幅及び両側部位の突出寸法は約３０〜１００ｍｍとし、約４０〜８０ｍｍで設定されるのが好適である。そして、部材厚みは鋼製材の場合においては約２〜５ｍｍの範囲を目処とし、約２．５〜３．５ｍｍの範囲で設定されるのが好適である。また、コの字形状部材に付設されるナット状部位は、材質はコの字形状部材に同材質とし、ネジ穴径は後述の固定用ボルト及び線材張設対応ボルトの径とも連関するが６〜１６ｍｍの範囲を目処とし、８〜１２ｍｍの範囲で設定されるのが好適である。また、コの字形状部材に設けられる貫通穴は前記ネジ穴径より若干大きい寸法とするのが好適である。また、ナット状部位の付設個数としては両側に１個ずつ付設しても良いが２個ずつ付設するのが好ましい。そして、コの字形状部材を鉄骨フランジ部、板状コンクリート部等に嵌装させ固定ボルトを用いて固設する時に、固定ボルトと反対側のコの字の突出部に板状ゴム質部材を介在させて固設するのが好ましい。【００１４】  固定用ボルト及び線材張設対応ボルトは、ボルト径は同一径とし前述のナット状部位のネジ穴径と連関し、前述の寸法範囲で設定されるのが好ましい。そして、材質は防錆処理をなされた鋼製材またはステンレス材が好適である。また、線材張設対応ボルトは固定用ボルトを兼用して用いることが出来る。そして、ボルト長さとしては、固定用ボルトは取付目的が果たせる短尺ボルトで良く、線材張設対応ボルトは鳥害防止用線材張設具の設置場所の条件により適宜長さが設定されてよい。また、線材張設対応ボルトの形状は、後述の線材張設対応ボルトの嵌通穴と連関するが、全長がネジ形状のものでも良いと共に固定用ボルトの機能が果たせる範囲のみにネジ山が施されたものでも良いが、全長がネジ形状のものの方が好ましい。そして、線材張設対応ボルトの頂部には鳥の休止防止と損傷防止を兼ねた先端部が絞られた形状のプラスチック製のボルト安全キャップを付設することが好ましい。【００１５】  線材張設用部材は、材質はアルミまたは防錆処理をなされた鋼製材、ステンレス材等でも良いが、エンジニアリングプラスチックが好ましい。そして、該部材の嵌通穴の内面形状は前述の線材張設対応ボルトの外面形状に対応した内面形状とし、線材張設対応ボルトへの装着対応としては、線材張設対応ボルトがネジ形状の場合は特段の装着対応を施す必用はないが、ネジ形状でない場合は、図２の（Ｃ）の（イ）又は（ロ）に示す様な側面にて固定用ネジを用いる方法又は該部材の側面に切れ目を施し固定用ネジを用いる方法等の固定対応手段を付加させて対応するのが好ましい。そして、該部材に付設される貫通穴は少なくとも２個が対称位置に配設され、線材が損傷し難い形状としては少なくとも線材と接触する部分は断面外形が円弧または楕円形状の一部をなす形状とするのが好ましい。【００１６】  溝形増設用部材は、材質はコの字形状部材に準じた材質のものが用いられる。そして、該部材の幅はコの字形状部材の幅より約１ｍｍ大きい寸法が好適であり、厚みは鋼製材の場合では約１．５〜３ｍｍの範囲で設定されるのが好適である。また、両側の縁部の立ち上がり部位の立ち上がり寸法は約１０〜４０ｍｍの範囲で設定されるのが好ましい。そして、該部材の長さは鳥害防止場所の範囲と該部材に付設されるナット状部位が約４０〜６０ｍｍの間隔で配設することを勘案して適宜設定されるのが好ましい。【００１７】  鳥害防止用線材は、強靱性と耐久性を有する、例えば釣り糸、漁網、工事用水糸、凧糸などに用いられる材質のものが好適であるが、ステンレス線やアルミ線等も線材張設用部材をそれに対応出来るものを選択すれば用いても良い。そして、該線材の太さは前記釣り糸等に類する材質の場合では約１〜３ｍｍの径のものが好ましい。また、鳥害防止用線材の張設時の間隔は約４０〜６０ｍｍの範囲で平行に配列して張設されるのが好適である。【００１８】  バネ材は防性処理された鋼製または同等以上の弾性と強靱性と耐久性を有する材質の線材を用いた直径が約５〜２０ｍｍの螺旋状形態のものが好適である。そして、バネ材の引っ張り強度は鳥害防止用線材の太さと与える張力を勘案し適宜設定されて良い。【００１９】  発光器は瞬時に点滅可能なものなら限定されないが、赤色系発光のＬＥＤが用いられたものが好適である。
【実施例１】
【００２０】  本発明の実施例の説明として、図１は鳥害防止用線材張設具のコの字形状部材の説明図である。図２は線材張設用部材の説明図と線材張設対応ボルトとの組み付け方法の説明図である。図３は溝型増設用部材の説明図である。図４は大型Ｈ形鋼、板状コンクリート突出部への設置例の説明図である。図５は鳥害防止用線材張設具を利用し電線と発光器の設置例の説明図である。以下、本発明の実施の形態を図面を参照して説明する。【００２１】  まず、本発明の鳥害防止用線材張設具１０は、図１〜３に示す様に、コの字形状部材１１と固定用ボルト１２及び線材張設対応ボルト１３と線材張設用部材１４及び溝型増設用部材１５とからなっている。【００２２】そして、本発明の鳥害防止装置１は、図４〜５に示す様に、鳥害防止用線材張設具１０に加えて鳥害防止用線材２０とバネ材とからなっていて、鳥害防止用線材張設具１０を適宜な間隔で建造物の鉄骨（Ｈ形鋼）２のフランジ部等または庇等のコンクリート突出部位３に板状ゴム質部材３０を介在させ嵌装させて固定用ボルト１２を用いて固設し、鳥害防止用線材２０の少なくとも一端側にバネ材を連結し線材張設用部材１４に付設された貫通穴を利用し適度な張力を保持させた状態で張設して鳥の飛来を忌避し鳥害防止出来る様にしている。【００２３】  そして、図３の（Ａ）（Ｂ）に示す様に、基板部にナット状部位１５ａが付設されると共に両側の縁部に立ち上がり部位１５ｂを有する溝形増設用部材１５は、図４の（Ａ）（Ｂ）（Ｃ）に示す様に、コの字形状部材１１の取付時に上方側となる突出部位の下部に嵌合させ大型鉄骨２のフランジ部や庇等のコンクリート突出部位３に用いて鳥害防止用線材２０を張設することにより、装置が大掛かりとならずに鳥害防止効果が確実に発揮出来る様にすることが出来る。また、該部材１５の長さが長くなる場合には、図３の（Ａ）に示す様に、アンカー留付用穴１５ｃを施しアンカーボルト等を用いて固定補強するか、または、接着剤を用いて適宜接着補強することも好ましい。【００２４】  また、図５に示す様に、鳥害防止用線材張設具１０を利用して電線４０を配線すると共に瞬時に点滅可能な発光器５０を設置することにより、発光による鳥の忌避効果も付加して鳥害防止効果をより確実にすることが出来る。以下に、本発明線材張設具および本発明装置の構成要素となる主要な部材等について特記説明する。【００２５】  コの字形状部材１１は、図１に示す様に、両側の突出部位の外面に貫通穴１１ａと一体化するナット状部位１１ｂが付設されている。そして、ナット状部位１１ｂは１個ずつでも良いが２個を配設されることが好ましい。【００２６】  線材張設対応ボルト１３は、図２の（Ｅ）に示す様に、全長がネジ形状のものでも良いと共に、図２の（Ｆ）（Ｇ）に示す様に、固定用ボルトの機能が果たせる範囲のみにネジ山が施されたものでも良いが、全長がネジ形状のものの方が好ましい。また、該ボルト１３の頂部には、図４、５に示す様に、鳥の休止防止と損傷防止を兼ねた先端部が絞られた形状のプラスチック製のボルト安全キャップ１３ａを付設することが好ましい。【００２７】  線材張設用部材１４は、図２の（Ａ）〜（Ｄ）に示す様に、線材張設対応ボルト１３���嵌通出来る嵌通穴１４ａと側部に線材が貫通出来て線材が損傷し難い形状をなす貫通穴１４ｂを有している。そして、線材張設対応ボルト１３への装着対応としては、線材張設対応ボルト１３が全ネジ形状の場合は嵌通穴１４ａの内面に嵌合出来るネジ山を施して、図２の（Ｅ）に示す様な形態で装着対応し、ネジ形状でない場合は、図２の（Ｃ）の（イ）又は（ロ）に示す様な側面にて固定用ネジ１４ｃを用いる方法又は該部材の側面に切れ目を施し固定用突出部位１４ｄを設けて固定用ネジ１４ｃを用いる方法等の固定対応手段を付加させて、図２の（Ｆ）（Ｇ）に示す様な形態で装着対応するのが好ましい。そして、貫通穴貫通穴１４ｂは少なくとも２個が対称位置に配設され、線材が損傷し難い形状としては少なくとも線材と接触する部分は断面外形が円弧または楕円形状の一部をなす形状が好ましい。【００２８】  溝型増設用部材１５は、図３の（Ａ）（Ｂ）に示す様に、基板部に線材張設対応ボルト１３が留め付けられるナット状部位１５ａが付設されると共に両側の縁部に立ち上がり部位１５ｂを有しており、図４または５の（Ａ）（Ｂ）（Ｃ）に示す様に、コの字形状部材１１の取付時に上方側となる突出部位の下部に嵌合させて取り付けることにより、線材張設対応ボルト１３の取付数が増加出来る様になる。【００２９】  板状ゴム質部材３０は、滑り難く長期間弾力性を有する材質が好ましく、複数の筋状の溝を施したものが好ましい。【００３０】  電線４０と発光器５０は、図５に示す様に、電線４０は線材張設用部材１４を利用し配線し、発光器５０は、線材張設対応ボルト１３を利用して配設する。そして、電線４０は一般に用いられていて耐候性能を有する被覆電線を用いれば良く、発光器５０は瞬時に点滅可能な赤色系発光のＬＥＤが用いられた発光器が好ましい。
【産業上の利用可能性】
【００３１】  鳥害防止用線材に金属線を用いることにより、通信アンテナの補助アンテナとしての利用の可能性がある。
【図面の簡単な説明】
【００３２】
【図１】鳥害防止用線材張設具のコの字形状部材の説明図  （Ａ）ナット状部位を並列に配置した場合の平面図  （Ｂ）Ａの例の側断面図
【図２】線材張設用部材の説明図と線材張設対応ボルトとの組み付け方法の説明図  （Ａ）（Ｂ）（Ｃ）線材張設用部材の形状例の平面図  （Ｄ）Ｂの例の断面図  （Ｅ）線材張設対応ボルトが全ネジ状態の例の説明図  （Ｆ）線材張設対応ボルトが下方部のみネジ状態のＣのイの例での組み付け例図  （Ｇ）線材張設対応ボルトが下方部のみネジ状態のＣのロの例での組み付け例図
【図３】溝型増設用部材の説明図  （Ａ）溝型増設用部材の平面図  （Ｂ）溝型増設用部材の断面図
【図４】大型Ｈ形鋼、板状コンクリート突出部への設置例の説明図  （Ａ）大型Ｈ形鋼への溝型増設用部材板状を追加して用いた対応例の平面図  （Ｂ）Ａの例の断面図  （Ｃ）コンクリート水平突出部へ設置した場合の例の断面図
【図５】鳥害防止用線材張設具を利用し電線と発光器の設置例の説明図  （Ａ）大型Ｈ形鋼への設置の平面説明図  （Ｂ）Ａの例の断面説明図  （Ｃ）コンクリート水平突出部へ設置した場合の例の断面説明図
【符号の説明】
【００３３】    １  ；本発明の鳥害防止装置    ２  ；Ｈ形鋼    ３  ；庇等のコンクリート突出部位  １０  ；本発明の鳥害防止用線材張設具  １１  ；コの字形状部材  １１ａ；貫通穴  １１ｂ；ナット状部位  １２  ；固定用ボルト  １３  ；線材張設対応ボルト  １３ａ；ボルト安全キャップ  １４  ；線材張設用部材  １４ａ；嵌通穴  １４ｂ；貫通穴  １４ｃ；固定用ネジ  １４ｄ；固定用突出部位  １５  ；溝型増設用部材  １５ａ；ナット状部位  １５ｂ；立ち上がり部位  １５ｃ；アンカー留付用穴  ２０  ；鳥害防止用線材  ３０  ；板状ゴム質部材  ４０  ；電線  ５０  ；発光器
【図１】
0004507203.tif 000002
【図２】
0004507203.tif 000003
【図３】
0004507203.tif 000004
【図４】
0004507203.tif 000005
【図５】
0004507203.tif 000006